(57)【要約】      （修正有）【課題】引出しスライドレールの自動クローズ装置の緩衝装置の提供。【解決手段】自動クローズ装置１の滑り溝１１３の後段部分Ａの幅が漸次細くなり最細部分１１３１より後ろ向きに漸次太くされ、スライドブロック１２がバネ３の弾性回復力により後ろ向きにスライド回復する時、スライドブロック両側に設けられた摩擦ブロック１５と滑り溝内の両側壁１１３０の摩擦抵抗が漸増し、更に漸減し、これによりスライドブロックの後ろ向きの回復の速度が加速してから減速し、スライドブロックに連帯して引出しが後ろ向きに自動回復する時、減速緩衝の作用が得られ、振動を防止し騒音を減らし、並びに部品の損壊を減らして使用寿命を延長でき、並びに組立が容易で余分に複雑な緩衝機構を取り付ける必要がない。【選択図】図４
0003108905.tif 000002
【実用新案登録請求の範囲】
【請求項１】
引出しスライドレールの自動クローズ装置の緩衝装置であり、そのうち該自動クローズ装置はスライドシートと、スライドブロックと、連動ブロックを具え、
該スライドシートは、引出しスライドレールのそのうちの一つのスライドレールに固定部品で固定され、該スライドシートは滑り溝を具え、該滑り溝にスライドブロックが挿入され、該スライドブロックが該滑り溝内で往復してスライド自在とされ、別に該スライドシートに位置決め部が設けられてバネの一側が位置決めされ、
該スライドブロックは、スライドシートの滑り溝内にスライド自在に挿入され、その一側に位置決め部がありバネのもう一側を位置決めし、該スライドブロックの一側にスライドフックが枢設され、該スライドフックが連動ブロックに駆動される当接部を具え、
該連動ブロックは、引出しスライドレールの別のスライドレールに固定され、このスライドレールに連帯して引出しが後方に移動する時、該連動ブロックがスライドフックの当接部を駆動し、スライドフックをスライドシートの係止より離脱させ、これによりスライドブロックがバネの弾性回復力により、スライドフックとスライドレールに接続された引出しと連帯して後方に自動復帰し、自動クローズ機能を達成する、引出しスライドレールの自動クローズ装置の緩衝装置において、
該緩衝装置は、自動クローズ装置のスライドブロックの両側に設けられた摩擦ブロックを具え、スライドブロックがバネの弾性回復力で後ろ向きに復帰する時、両側の摩擦ブロックとスライドシートの滑り溝内の両側壁の摩擦によりスライドブロックの後ろ向きの復帰の速度が減速され、これによりスライドブロックとスライドレールに接続された引出しの後ろ向きの回復速度も減らされて緩衝機能が形成されることを特徴とする、引出しスライドレールの自動クローズ装置の緩衝装置。
【請求項２】
請求項１記載の引出しスライドレールの自動クローズ装置の緩衝装置において、スライドシートの滑り溝の後段部分の幅は漸減されて最細部分より後ろ向きに漸増される設計とされ、スライドブロック両側に設けられた摩擦ブロックの幅が前が細く後ろが漸増される状態とされ、これによりスライドブロックが後ろ向きにスライドして復帰する時、二つの摩擦ブロックの摩擦面とスライドシートの滑り溝内の両側壁の間隙が漸減し更に漸増する状態とされ、これにより、スライドブロック両側に設けられた摩擦ブロックの受ける摩擦抵抗が漸増してから漸減し、スライドブロックが後方に復帰する時の速度が漸減されてから漸増されることを特徴とする、引出しスライドレールの自動クローズ装置の緩衝装置。
【請求項３】
請求項１記載の引出しスライドレールの自動クローズ装置の緩衝装置において、スライドブロックの両側に収容溝が設けられてそれぞれ摩擦ブロックが枢設されたことを特徴とする、引出しスライドレールの自動クローズ装置の緩衝装置。
【請求項４】
請求項１記載の引出しスライドレールの自動クローズ装置の緩衝装置において、スライドブロックの両側に設けられた摩擦ブロックが耐磨耗材質で形成された摩擦面を具えたことを特徴とする、引出しスライドレールの自動クローズ装置の緩衝装置。
【考案の詳細な説明】
【技術分野】
【０００１】
本考案は一種の引出しスライドレールの自動クローズ装置の緩衝装置に係り、自動クローズ装置のスライドシートの滑り溝後段部分の幅が漸減してから漸増する設計とされ、スライドブロック両側に設けられた摩擦ブロックが組み合わされてスライドブロックがバネの弾性回復力により引出しを伴い自動的に後方にスライドする時の緩衝作用を具え、これにより振動を防止し、騒音を減らし、部品損壊を減らし、使用寿命を高め、且つ組立が容易で複雑な緩衝機構を取り付ける必要がない長所を有する、引出しスライドレールの自動クローズ装置の緩衝装置に関する。
【背景技術】
【０００２】
周知の引出しスライドレール８は、図１に示されるように、その自動クローズ装置９が、スライドシート９１、バネ９２、スライドブロック９３及び内スライドレール９４に設けられた連動ブロック９４１で構成され、その欠点は、引出しがバネ９２の力により自動的に後方にスライドして復帰する時、速度が速過ぎて騒音を発生し、且つ振動により長時間使用の後に部品の損壊を形成して使用寿命に影響を与えることである。また、引出しスライドレールに別に気圧棒を取り付けて減速及び緩衝作用を具備させたものもあるが、気圧棒を取り付けたものは、気圧棒の伸縮不安定により振動の情況を発生させ、また空間を占用し取り付けが容易でない等の欠点を有する。このほか、複雑な緩衝機構は製造コストが高く、空間を占用し、且つ組付けが面倒である。
【考案の開示】
【考案が解決しようとする課題】
【０００３】
本考案の主要な目的は、一種の引出しスライドレールの自動クローズ装置の緩衝装置を提供することにあり、それによると、自動クローズ装置のスライドシートの滑り溝の後段部分の幅が漸減し、最細部分より後向きに漸増する状態とされ、スライドブロックがバネの弾性回復力により後ろ向きに復帰する時、スライドブロック両側に設けられた摩擦ブロックと滑り溝内の両側壁の摩擦抵抗が、漸増し更に漸減し、これにより、スライドブロックの後方復帰の速度が加速されてから減速されて緩衝作用を具備し、振動を防止し、騒音を減らし、部品の損壊を減らして使用寿命を高める。
【０００４】
本考案の別の目的は、一種の引出しスライドレールの自動クローズ装置の緩衝装置を提供することにあり、それによると、スライドブロックが引出しを伴い後方に自動復帰する速度が、減速されてから加速され、これにより減速緩衝作用を具備するほか、自動復帰の最後の行程で非常に緩慢とならない長所を有し、且つ使用者が途中で引出しの復帰を加速したい時は、ただ後ろ向きに力を加えればよく、便利で部品を損壊しない。
【０００５】
本考案はまた、一種の引出しスライドレールの自動クローズ装置の緩衝装置を提供することを目的とし、それは、組立が容易で余分に気圧棒或いは複雑な緩衝機構を取り付ける必要がないものとする。
【課題を解決するための手段】
【０００６】
請求項１の考案は、引出しスライドレールの自動クローズ装置の緩衝装置であり、そのうち該自動クローズ装置はスライドシートと、スライドブロックと、連動ブロックを具え、
該スライドシートは、引出しスライドレールのそのうちの一つのスライドレールに固定部品で固定され、該スライドシートは滑り溝を具え、該滑り溝にスライドブロックが挿入され、該スライドブロックが該滑り溝内で往復してスライド自在とされ、別に該スライドシートに位置決め部が設けられてバネの一側が位置決めされ、
該スライドブロックは、スライドシートの滑り溝内にスライド自在に挿入され、その一側に位置決め部がありバネのもう一側を位置決めし、該スライドブロックの一側にスライドフックが枢設され、該スライドフックが連動ブロックに駆動される当接部を具え、
該連動ブロックは、引出しスライドレールの別のスライドレールに固定され、このスライドレールに連帯して引出しが後方に移動する時、該連動ブロックがスライドフックの当接部を駆動し、スライドフックをスライドシートの係止より離脱させ、これによりスライドブロックがバネの弾性回復力により、スライドフックとスライドレールに接続された引出しと連帯して後方に自動復帰し、自動クローズ機能を達成する、引出しスライドレールの自動クローズ装置の緩衝装置において、
該緩衝装置は、自動クローズ装置のスライドブロックの両側に設けられた摩擦ブロックを具え、スライドブロックがバネの弾性回復力で後ろ向きに復帰する時、両側の摩擦ブロックとスライドシートの滑り溝内の両側壁の摩擦によりスライドブロックの後ろ向きの復帰の速度が減速され、これによりスライドブロックとスライドレールに接続された引出しの後ろ向きの回復速度も減らされて緩衝機能が形成されることを特徴とする、引出しスライドレールの自動クローズ装置の緩衝装置としている。
請求項２の考案は、請求項１記載の引出しスライドレールの自動クローズ装置の緩衝装置において、スライドシートの滑り溝の後段部分の幅は漸減されて最細部分より後ろ向きに漸増される設計とされ、スライドブロック両側に設けられた摩擦ブロックの幅が前が細く後ろが漸増される状態とされ、これによりスライドブロックが後ろ向きにスライドして復帰する時、二つの摩擦ブロックの摩擦面とスライドシートの滑り溝内の両側壁の間隙が漸減し更に漸増する状態とされ、これにより、スライドブロック両側に設けられた摩擦ブロックの受ける摩擦抵抗が漸増してから漸減し、スライドブロックが後方に復帰する時の速度が漸減されてから漸増されることを特徴とする、引出しスライドレールの自動クローズ装置の緩衝装置としている。
請求項３の考案は、請求項１記載の引出しスライドレールの自動クローズ装置の緩衝装置において、スライドブロックの両側に収容溝が設けられてそれぞれ摩擦ブロックが枢設されたことを特徴とする、引出しスライドレールの自動クローズ装置の緩衝装置としている。
請求項４の考案は、請求項１記載の引出しスライドレールの自動クローズ装置の緩衝装置において、スライドブロックの両側に設けられた摩擦ブロックが耐磨耗材質で形成された摩擦面を具えたことを特徴とする、引出しスライドレールの自動クローズ装置の緩衝装置としている。
【考案の効果】
【０００７】
本考案の引出しスライドレールの自動クローズ装置の緩衝装置は、自動クローズ装置のスライドシートの滑り溝の後段部分の幅が漸減し、最細部分より後向きに漸増する状態とされ、スライドブロックがバネの弾性回復力により後ろ向きに復帰する時、スライドブロック両側に設けられた摩擦ブロックと滑り溝内の両側壁の摩擦抵抗が、漸増し更に漸減し、これにより、スライドブロックの後方復帰の速度が加速されてから減速されて緩衝作用を具備し、振動を防止し、騒音を減らし、部品の損壊を減らして使用寿命を高める。また、スライドブロックが引出しを伴い後方に自動復帰する速度が、減速されてから加速され、これにより減速緩衝作用を具備するほか、自動復帰の最後の行程で非常に緩慢とならない長所を有し、且つ使用者が途中で引出しの復帰を加速したい時は、ただ後ろ向きに力を加えればよく、便利で部品を損壊しない。更に、本考案は組立が容易で余分に気圧棒或いは複雑な緩衝機構を取り付ける必要がない。
【考案を実施するための最良の形態】
【０００８】
図２から図９に示されるように、本考案は引出しスライドレールの自動クローズ装置の緩衝装置を提供し、それは、自動クローズ装置１が、スライドシート１１を具え、該スライドシート１１はリベット１１１等の固定部品により引出しスライドレール２の内スライドレール２１の底端面２１１に固定される。該スライドシート１１は、滑り溝１１３を具え、該滑り溝１１３にスライドブロック１２が挿入されて、スライドブロック１２は滑り溝１１３内を往復してスライド可能とされる。また、スライドシート１１に別に位置決め部１１４が設けられてバネ３の一側３１が位置決めされ、スライドシート１１に別に小案内溝１１５が設けられ（図４）、該小案内溝１１５の前側より係止溝１１５１が延伸され（図５）、また、スライドシート１１は上蓋１６で被覆される（図３）。
【０００９】
スライドブロック１２は、スライドシート１１の滑り溝１１３内にスライド可能に組み合わされ、その一側に位置決め部１２１（図６）が設けられてバネ３のもう一側（図示せず）を位置決めし、このほか、該スライドブロック１２の一側に枢軸部１２６が設けられて枢設孔１３６を具えたスライドフック１３が枢設され、該スライドフック１３の前側下方に案内柱１３１が設けられて該案内柱１３１がスライドシート１１の小案内溝１１５内にスライド可能に組み合わされ、且つ該スライドフック１３は連動ブロック１４に駆動される当接部１３２を具えている。
【００１０】
該連動ブロック１４（図２、４、５、９）は、引出しスライドレール２の外スライドレール２２の一側壁２２１に接続され、該外スライドレール２２が引出し４を伴い（図９）後方に移動する時、該連動ブロック１４はスライドフック１３の当接部１３２を押動してスライドフック１３を回転させてスライドシート１１の係止溝１１５１の係止より離脱させ、これによりスライドブロック１２がバネ３の弾性回復力によりスライドフック１３と外スライドレール２２に接続された引出し４と連帯して後方に自動復帰し、自動クローズ効果が達成される（図５）。反対に、外スライドレール２２が外向きに引き出される時、連動ブロック１４がスライドフック１３の当接部１３２の後側１３２１を押動し、スライドフック１３の案内柱１３１を再度スライドシート１１の係止溝１１５１に係合させる（図４）。
【００１１】
本考案の特徴は以下のとおりである。該緩衝装置は、自動クローズ装置１のスライドブロック１２の両側に摩擦ブロック１５が設けられ、スライドブロック１２がバネ３の弾性回復力で後ろ向きに復帰する時、両側の摩擦ブロック１５とスライドシート１１の滑り溝１１３内の両側壁１１３０の摩擦によりスライドブロック１２の後ろ向きの復帰の速度が減速され、これによりスライドブロック１２と外スライドレール２２に接続された引出し４の後ろ向きの回復速度も減らされて緩衝作用が形成され、これにより引出し４の後ろ向きの復帰で発生する激烈な振動が防止され、また騒音の発生が減らされて部品損壊が減らされ、使用寿命が延長される。
【００１２】
更に、前述のスライドシート１１の滑り溝１１３の後段部分Ａ（図８）の幅は漸減されて最細部分１１３１より後ろ向きに再度漸増される設計とされ、スライドブロック１２両側に設けられた摩擦ブロック１５の幅が前が細く後ろが太い状態とされ、これによりスライドブロック１２が後ろ向きにスライドして復帰する時、二つの摩擦ブロック１５の摩擦面１５１とスライドシート１１の滑り溝１１３内の両側壁１１３０の間隙が漸減し更に漸増する状態とされ、これにより、スライドブロック１２両側に設けられた摩擦ブロック１５の受ける摩擦抵抗が漸増してから漸減し、スライドブロック１２が後方に復帰する時の速度が漸減されてから漸増される。
【００１３】
また、前述のスライドブロック１２の両側に収容溝１２０が設けられてそれぞれ摩擦ブロック１５が枢設される。
【００１４】
また、前述のスライドブロック１２の両側に設けられた摩擦ブロック１５はそれぞれ耐磨耗材質部分例えばシリコーン樹脂部分によりその摩擦面１５１が形成されている。
【００１５】
図１０は本考案の第２実施例であり、その主要な構造の特徴は、第１実施例と同じであるが、唯一の違いは、第２実施例では連動ブロック１４’が引出しスライドレール２’の最外側の外スライドレール２２’の側壁２２１’に固定されていることにある。
【００１６】
総合すると、本考案は以下のような機能が増されている。
１．自動クローズ装置１のスライドシート１１の滑り溝１１３の後段部分Ａの幅が漸減されて、最細部分１１３１より後ろ向きに漸増する状態とされ、スライドブロック１２がバネ３の弾性回復力により後ろ向きにスライドして復帰する時、スライドブロック１２の両側に設けられた摩擦ブロック１５とスライドシート１１の滑り溝１１３内の両側壁１１３０の摩擦抵抗が漸増し、更に漸減し、これによりスライドブロック１２が後ろ向きにスライドして復帰する速度が漸減してから漸増し、これによりスライドブロック１２に連帯動作する外スライドレール２２に連帯して引出し４が後ろ向きに自動復帰するのに減速緩衝作用が形成され、振動が防止され騒音が減らされ並びに部品損壊が減らされ、使用寿命が高められる。
２．スライドブロック１２に連帯して引出し４が後ろ向きに自動復帰する速度が漸減して更に漸増し、これにより減速緩衝作用を具備するほか、自動復帰の最後の行程速度が遅過ぎることがなくなり、且つ使用者が途中で引出しの復帰を加速しようとする場合、後ろ向きに力を加えるだけでよく、部品を損壊することがない。
３．組付けが容易で別に気圧棒或いはその他の複雑な緩衝機構を取り付ける必要がない。
【図面の簡単な説明】
【００１７】
【図１】周知の引出しスライドレールの部分立体図である。
【図２】本考案の実施例の引出しスライドレールの立体断面図である。
【図３】本考案の実施例に上蓋を取り付けた後の立体図である。
【図４】本考案の実施例の、スライドブロックの後方へ未復帰状態での平面図である。
【図５】本考案の実施例の、スライドブロックの後方定位復帰後の平面図である。
【図６】本考案の実施例の、スライドブロックとスライドフックの立体分解拡大図である。
【図７】本考案の実施例の、スライドシートの立体図である。
【図８】本考案の実施例の、スライドシートの平面図である。
【図９】本考案の実施例が引出しスライドレールに組付けられ、並びにキャビネットと引出しが組み合わされた後の正面図である。
【図１０】本考案の実施例の三段式引出しスライドレールへの組付け表示図である。
【符号の説明】
【００１８】
１  自動クローズ装置
１１  スライドシート
１１１  リベット
１１３  滑り溝
１１３１  最細部分
１１３０  側壁
１１４  位置決め部
１１５  小案内溝
１１５１  係止溝
１２  スライドブロック
１２０  収容溝
１２１  位置決め部
１２６  枢軸部
１３  スライドフック
１３１  案内柱
１３２  当接部
１３２１  後側
１３６  枢設孔
１４  連動ブロック
１５  摩擦ブロック
１５１  摩擦面
１６  上蓋
２  引出しスライドレール
２１  内スライドレール
２１１  底端面
２２１  側壁
３  バネ
３１  一側
４  引出し
Ａ  後段部分
１４’  連動ブロック
２’  引出しスライドレール
２２’  外スライドレール
２２１’  側壁
【図１】
0003108905.tif 000003
【図２】
0003108905.tif 000004
【図３】
0003108905.tif 000005
【図４】
0003108905.tif 000006
【図５】
0003108905.tif 000007
【図６】
0003108905.tif 000008
【図７】
0003108905.tif 000009
【図８】
0003108905.tif 000010
【図９】
0003108905.tif 000011
【図１０】
0003108905.tif 000012